(57)【要約】【課題】  なるべく単時間で色彩の認識支援処理を行うことのできる携帯端末装置及びそれと協働するサーバ装置を提供する。【解決手段】  サーバ装置３０は、画素値と当該画素値に関する情報とを関連づけたデータベースに対してアクセス可能に接続されており、携帯端末装置１０が、撮像手段で撮像した画像データをサーバ装置３０に対して送信し、サーバ装置３０が、携帯端末装置１０から受信した画像データに含まれる画素値に関する情報をデータベースから取得し、当該取得した情報が、携帯端末装置１０の利用者に提示される。【選択図】        図１
2005223855.tif 000002
【特許請求の範囲】
【請求項１】
所定の画像処理を行うサーバ装置との間で通信する携帯端末装置であって、
撮像手段と、
予め定められた条件に基づいて、前記撮像手段にて撮像した画像データをサーバ装置側に送信するか否かを決定する手段と、
サーバ装置側に前記画像データを送信すると決定したときには、当該画像データをサーバ装置側に送信し、当該画像データに対する前記所定の画像処理結果を受信し、サーバ装置側に前記画像データを送信しないと決定したときには、前記所定の画像処理を携帯端末装置側で遂行し、当該画像処理結果を生成する手段と、
を含み、
前記画像処理結果が、利用者に対して提示されることを特徴とする携帯端末装置。
【請求項２】
サーバ装置との間で通信し、当該サーバ装置と協働して、複数の処理要素を含んでなる所定の画像処理を遂行する携帯端末装置であって、
撮像手段と、
予め定められた条件に基づいて、前記複数の処理要素のうちサーバ装置側で行う処理要素を、サーバ側処理要素として決定し、前記複数の処理要素のうち、サーバ側処理要素以外の処理要素を、自己遂行処理要素として決定する手段と、
前記サーバ側処理要素での処理をサーバ装置側に行わせ、自己遂行処理要素での処理を遂行して、当該画像処理結果を生成する手段と、
を含み、
前記画像処理結果が、利用者に対して提示されることを特徴とする携帯端末装置。
【請求項３】
請求項１または２に記載の携帯端末装置において、
前記サーバ装置との間の通信状態を検出する検出手段をさらに含み、
前記所定の条件には、
前記検出手段による検出結果に関する条件を含むことを特徴とする携帯端末装置。
【請求項４】
請求項１から３のいずれか一項に記載の携帯端末装置において、
前記所定の条件には、前記撮像された画像データの容量に関する条件を含むことを特徴とする携帯端末装置。
【請求項５】
撮像手段を備えた携帯端末装置と協働して、所定の画像処理を遂行するサーバ装置であって、
前記携帯端末装置から画像処理要求を受信し、予め定められた条件に基づいて、前記撮像手段にて撮像された画像データをサーバ装置側で受信するか否かを決定する手段と、
前記画像データを受信すると決定したときには、前記携帯端末装置に対して当該画像データをサーバ装置側に送信させ、当該画像データに対する前記所定の画像処理を行って、当該画像処理の結果を携帯端末装置に送信する手段と、
を含み、
前記画像処理結果が、携帯端末装置側で利用者に対し提示されることを特徴とするサーバ装置。
【請求項６】
撮像手段を備えた携帯端末装置と協働して、複数の処理要素を含んでなる所定の画像処理を遂行するサーバ装置であって、
前記携帯端末装置から画像処理要求を受信し、予め定められた条件に基づいて、前記複数の処理要素のうちサーバ装置側で行う処理要素を、自己遂行処理要素として決定し、前記複数の処理要素のうち、自己遂行処理要素以外の処理要素を、携帯端末側処理要素として決定する手段と、
前記携帯端末側処理要素での処理を前記携帯端末装置に行わせ、前記自己遂行処理要素での処理を遂行する手段と、
を含み、
前記携帯端末装置との協働で得られた画像処理の結果が、利用者に対して提示されることを特徴とする携帯端末装置。
【請求項７】
撮像手段を有し、サーバ装置と協働して複数の処理要素を含んでなる所定の画像処理を遂行する携帯端末装置を用い、
予め定められた条件に基づいて、前記複数の処理要素のうちサーバ装置側で行う処理要素を、サーバ側処理要素として決定し、前記複数の処理要素のうち、サーバ側処理要素以外の処理要素を、自己遂行処理要素として決定し、
前記サーバ側処理要素での処理をサーバ装置側に行わせ、自己遂行処理要素での処理を遂行して、当該画像処理結果を生成し、
前記画像処理結果を利用者に対して提示することを特徴とする画像処理方法。
【請求項８】
撮像手段を備えた携帯端末装置と協働して、複数の処理要素を含んでなる所定の画像処理を遂行するサーバ装置を用い、
前記携帯端末装置から画像処理要求を受信し、予め定められた条件に基づいて、前記複数の処理要素のうちサーバ装置側で行う処理要素を、自己遂行処理要素として決定し、前記複数の処理要素のうち、自己遂行処理要素以外の処理要素を、携帯端末側処理要素として決定する工程と、
前記携帯端末側処理要素での処理を前記携帯端末装置に行わせ、前記自己遂行処理要素での処理を遂行する工程とを含み、
前記携帯端末装置との協働で得られた画像処理の結果が、利用者に対して提示されることを特徴とする画像処理方法。
【請求項９】
撮像手段を有し、サーバ装置と協働して複数の処理要素を含んでなる所定の画像処理を遂行する携帯端末装置に内蔵されるコンピュータに、
予め定められた条件に基づいて、前記複数の処理要素のうちサーバ装置側で行う処理要素を、サーバ側処理要素として決定し、前記複数の処理要素のうち、サーバ側処理要素以外の処理要素を、自己遂行処理要素として決定する手順と、
前記サーバ側処理要素での処理をサーバ装置側に行わせ、自己遂行処理要素での処理を遂行して、当該画像処理結果を生成する手順と、
を実行させ、前記画像処理結果が利用者に対して提示されることを特徴とする画像処理プログラム。
【請求項１０】
撮像手段を備えた携帯端末装置と協働して、複数の処理要素を含んでなる所定の画像処理を遂行するサーバ装置に、
前記携帯端末装置から画像処理要求を受信し、予め定められた条件に基づいて、前記複数の処理要素のうちサーバ装置側で行う処理要素を、自己遂行処理要素として決定し、前記複数の処理要素のうち、自己遂行処理要素以外の処理要素を、携帯端末側処理要素として決定する手順と、
前記携帯端末側処理要素での処理を前記携帯端末装置に行わせ、前記自己遂行処理要素での処理を遂行する手順とを実行させ、
前記携帯端末装置との協働で得られた画像処理の結果が、利用者に対して提示されることを特徴とする画像処理プログラム。
【発明の詳細な説明】
【技術分野】
【０００１】
本発明は、人間の色彩認識を支援する携帯端末装置及びサーバ装置に関する。
【背景技術】
【０００２】
色覚障碍を有する人々の色彩認識を支援するため、従来からさまざまな装置が考えられている。例えば特許文献１には、対象物に当接させると、当該対象物の色名を音声にて発声する装置が開示されている。
【特許文献１】特開２００２−２２５３７号公報
【発明の開示】
【発明が解決しようとする課題】
【０００３】
しかしながら、上記特許文献１に記載の従来の装置では、対象物への当接が必要であるので、対象物に近づくことができない場合など、装置を接触させることができないときには、当該対象物の色を知ることができないという問題点があった。
【０００４】
ところで近年、カメラ付きの携帯電話など、撮像手段を備えた携帯端末装置が普及している。そこで、こうした携帯端末装置を用いて撮像された画像データに基づいて対象物の色の情報などを提供できれば対象物との位置関係によらず、当該対象物の色を測定でき、色彩の認識を支援できるとも考えられる。
【０００５】
しかし、一般に携帯端末装置はバッテリー駆動されるものであるため、消費電力の低減の要請などから、かかる色彩の認識支援処理を単時間に処理するほどの能力を有しない場合が多い。
【０００６】
本発明は上記実情に鑑みて為されたもので、なるべく単時間で色彩の認識支援処理を行うことのできる携帯端末装置及びそれと協働するサーバ装置を提供することを、その目的の一つとする。
【課題を解決するための手段】
【０００７】
上記従来例の問題点を解決するための本発明は、所定の画像処理を行うサーバ装置との間で通信する携帯端末装置であって、撮像手段と、予め定められた条件に基づいて、前記撮像手段にて撮像した画像データをサーバ装置側に送信するか否かを決定する手段と、サーバ装置側に前記画像データを送信すると決定したときには、当該画像データをサーバ装置側に送信し、当該画像データに対する前記所定の画像処理結果を受信し、サーバ装置側に前記画像データを送信しないと決定したときには、前記所定の画像処理を携帯端末装置側で遂行し、当該画像処理結果を生成する手段と、を含み、前記画像処理結果が、利用者に対して提示されることを特徴としている。
【０００８】
さらに、上記従来例の問題点を解決するための本発明は、サーバ装置との間で通信し、当該サーバ装置と協働して、複数の処理要素を含んでなる所定の画像処理を遂行する携帯端末装置であって、撮像手段と、予め定められた条件に基づいて、前記複数の処理要素のうちサーバ装置側で行う処理要素を、サーバ側処理要素として決定し、前記複数の処理要素のうち、サーバ側処理要素以外の処理要素を、自己遂行処理要素として決定する手段と、前記サーバ側処理要素での処理をサーバ装置側に行わせ、自己遂行処理要素での処理を遂行して、当該画像処理結果を生成する手段と、を含み、前記画像処理結果が、利用者に対して提示されることを特徴としている。
【０００９】
さらにこれらの携帯端末装置において、前記サーバ装置との間の通信状態を検出する検出手段をさらに含み、前記所定の条件には、前記検出手段による検出結果に関する条件を含んでもよい。また、前記所定の条件には、前記撮像された画像データの容量に関する条件を含んでもよい。
【００１０】
また、上記従来例の問題点を解決するための本発明は、撮像手段を備えた携帯端末装置と協働して、所定の画像処理を遂行するサーバ装置であって、前記携帯端末装置から画像処理要求を受信し、予め定められた条件に基づいて、前記撮像手段にて撮像された画像データをサーバ装置側で受信するか否かを決定する手段と、前記画像データを受信すると決定したときには、前記携帯端末装置に対して当該画像データをサーバ装置側に送信させ、当該画像データに対する前記所定の画像処理を行って、当該画像処理の結果を携帯端末装置に送信する手段と、を含み、前記画像処理結果が、携帯端末装置側で利用者に対し提示されることを特徴としている。
【００１１】
さらに、上記従来例の問題点を解決するための本発明は、撮像手段を備えた携帯端末装置と協働して、複数の処理要素を含んでなる所定の画像処理を遂行するサーバ装置であって、前記携帯端末装置から画像処理要求を受信し、予め定められた条件に基づいて、前記複数の処理要素のうちサーバ装置側で行う処理要素を、自己遂行処理要素として決定し、前記複数の処理要素のうち、自己遂行処理要素以外の処理要素を、携帯端末側処理要素として決定する手段と、前記携帯端末側処理要素での処理を前記携帯端末装置に行わせ、前記自己遂行処理要素での処理を遂行する手段と、を含み、前記携帯端末装置との協働で得られた画像処理の結果が、利用者に対して提示されることを特徴としている。
【００１２】
また、本発明の一態様に係る画像処理方法は、撮像手段を有し、サーバ装置と協働して複数の処理要素を含んでなる所定の画像処理を遂行する携帯端末装置を用い、予め定められた条件に基づいて、前記複数の処理要素のうちサーバ装置側で行う処理要素を、サーバ側処理要素として決定し、前記複数の処理要素のうち、サーバ側処理要素以外の処理要素を、自己遂行処理要素として決定し、前記サーバ側処理要素での処理をサーバ装置側に行わせ、自己遂行処理要素での処理を遂行して、当該画像処理結果を生成し、前記画像処理結果を利用者に対して提示することを特徴としている。
【００１３】
さらに、本発明の別の態様に係る画像処理方法は、撮像手段を備えた携帯端末装置と協働して、複数の処理要素を含んでなる所定の画像処理を遂行するサーバ装置を用い、前記携帯端末装置から画像処理要求を受信し、予め定められた条件に基づいて、前記複数の処理要素のうちサーバ装置側で行う処理要素を、自己遂行処理要素として決定し、前記複数の処理要素のうち、自己遂行処理要素以外の処理要素を、携帯端末側処理要素として決定する工程と、前記携帯端末側処理要素での処理を前記携帯端末装置に行わせ、前記自己遂行処理要素での処理を遂行する工程とを含み、前記携帯端末装置との協働で得られた画像処理の結果が、利用者に対して提示されることを特徴としている。
【００１４】
また、本発明のさらに別の態様に係る画像処理プログラムは、撮像手段を有し、サーバ装置と協働して複数の処理要素を含んでなる所定の画像処理を遂行する携帯端末装置に内蔵されるコンピュータに、予め定められた条件に基づいて、前記複数の処理要素のうちサーバ装置側で行う処理要素を、サーバ側処理要素として決定し、前記複数の処理要素のうち、サーバ側処理要素以外の処理要素を、自己遂行処理要素として決定する手順と、前記サーバ側処理要素での処理をサーバ装置側に行わせ、自己遂行処理要素での処理を遂行して、当該画像処理結果を生成する手順と、を実行させ、前記画像処理結果が利用者に対して提示されるようにしたものである。
【００１５】
また、本発明のさらに別の態様に係る画像処理プログラムは、撮像手段を備えた携帯端末装置と協働して、複数の処理要素を含んでなる所定の画像処理を遂行するサーバ装置に、前記携帯端末装置から画像処理要求を受信し、予め定められた条件に基づいて、前記複数の処理要素のうちサーバ装置側で行う処理要素を、自己遂行処理要素として決定し、前記複数の処理要素のうち、自己遂行処理要素以外の処理要素を、携帯端末側処理要素として決定する手順と、前記携帯端末側処理要素での処理を前記携帯端末装置に行わせ、前記自己遂行処理要素での処理を遂行する手順とを実行させ、前記携帯端末装置との協働で得られた画像処理の結果が、利用者に対して提示されることを特徴としている。
【発明を実施するための最良の形態】
【００１６】
本発明の実施の形態について図面を参照しながら説明する。本実施の形態に係る画像処理システムは、図１に示すように携帯端末装置（１０）と、携帯電話網２０と、サーバ装置３０とを含む。なお、ここで携帯端末装置は、例えばカメラつきの携帯電話機として実装することができる。以下では、携帯端末装置をカメラつきの携帯電話機１０として実装し、画素値に関する情報として主に色名を提供する場合を例として説明するが、本発明の趣旨はこれに限られるものではなく、カメラつきのＰＤＡ（Personal Digital Assistants）、ディジタルカメラ、カメラとノート型パーソナルコンピュータなどであってもよい。また、提供される情報も、画素値の色名に限られない。
【００１７】
携帯電話機１０は、図２に示すように、制御部１１と、記憶部１２と、撮像部１３と、操作部１４と、表示部１５と、通信部１６と、マイク１７と、スピーカ部１８とを含んで構成されている。制御部１１は、記憶部１２に格納されているプログラムに従って動作しており、携帯電話機としての一般的動作（電話通信や携帯電話網２０を介して通話を行う動作など）や、データ通信処理として、インターネット上のサーバ装置３０等にアクセスする動作などを行っている。また、この制御部１１は、撮像部１３にて撮像された画像データに含まれる画素値に関する情報を提供する動作（画素値関連情報提供処理）を行っている。この画素値関連情報提供処理の具体的内容については、後に詳しく述べる。
【００１８】
記憶部１２は、制御部１１によって実行されるプログラムのほか、電話帳データ等、プログラムの実行に伴って利用されるパラメータ情報を格納している。
【００１９】
撮像部１３は、例えばＣＣＤ（Charge Coupled Device）や、ＣＭＯＳ等の光センサ、並びに光学系（レンズなど）を含んでなるカメラであり、利用者がシャッター操作などを行った時点で光センサ面に到来していた光を電気信号に変換して、画像データとして制御部１１に出力する。
【００２０】
操作部１４は、テンキーや、発呼、着呼等に用いるボタン、カメラ操作のためのボタン等であり、利用者のキー入力を受けて、当該キー入力操作の内容を制御部１１に出力する。表示部１５は例えば液晶ディスプレイや、有機ＥＬディスプレイ等であり、制御部１１から入力される指示に従い、指示された画像を表示出力する。
【００２１】
通信部１６は、携帯電話機１０の近隣にある携帯電話網２０上の基地局ＢＳとの間で通信を行い、携帯電話網２０との間で信号を送受する。具体的に、この通信部１６は、当該基地局ＢＳ側から受信した信号を復号して、受信データを得て、この受信データを制御部１１に出力している。また、この通信部１６は、制御部１１から入力される指示に従って送信対象のデータを符号化し、変調して、基地局ＢＳに対して送出する。
【００２２】
マイク１７は、受け入れられる音声信号を電気的信号に変換し、音声データとして制御部１１に出力する。スピーカ部１８は、制御部１１から入力される音声データから音声信号の電気的信号を生成し、この電気的信号に基づいてスピーカを鳴動する。
【００２３】
サーバ装置３０は、図３に示すように制御部３１と、記憶部３２と、通信部３３と、データベース部３４とを含む。ここで制御部３１は、記憶部３２に格納されているプログラムに従って動作している。この制御部３１の具体的処理の内容については、後に詳しく述べる。
【００２４】
記憶部３２は、制御部３１によって実行されるプログラムを保持している。通信部３３は、制御部３１から入力される指示に従ってネットワーク及び携帯電話網２０を介して、データを送出する。また、ネットワークを介して受信されるデータを制御部３１に出力する。
【００２５】
データベース部３４は、画素値と画素値に関する情報とを関連づけて画素値関連情報データベースとして保持している。ここで画素値に関する情報は色名に関する情報であり、具体的には、この画素値関連情報データベースに格納されている情報は、図４に示すように、色空間上に複数の標準色（図４のＣ１からＣ２４）を予め定めておき、図５に示すように、各標準色の座標情報と、その色名などの画素値関連情報と、を関連づけたものであってもよい。
【００２６】
図５に示したような画素値関連情報データベースとするときには、制御部１１は、利用者からの指示操作に基づいて取得した画素値の座標情報（図４に示した色空間と同じ座標系での座標情報）と、各標準色の座標情報との距離を算出し、最も短い距離にある標準色に関連づけられている画素値関連情報を取得して、利用者に提供することとなる。
【００２７】
この場合も、図５に含まれている画素値について精度に関する情報を設定しておき、精度の指定に応じて利用する画素値を選択できるようにしておくこととすれば、色名の識別の精度を利用者が指定できるようになる。
【００２８】
さらに、画素値関連情報として含められる色名の情報は、図５に示したような規格名に代えて慣用されている名称とすることとしてもよい。ここで慣用されている色名が、地域ごとに異なっている場合もある（例えば沖縄においては「黒」を「くる」というように発音することがある）ことに鑑みて、地域ごとの色名に対応した情報とすることも好ましい。この場合は、画素値関連情報データベースを地域別に用意しておき、利用者がいずれかを選択できるようにしておけばよい。
【００２９】
さらに、ここで画素値関連情報は色名の情報だけでなく、連想される事物やイメージ（感情表現、修飾語、温度、重さなど）を含んでもよい。これによれば例えば「冷たい感じの青」などというような情報提供が可能となる。さらに、画素値関連情報等、画素値関連情報データベース内の情報は、利用者によって設定可能としておくことも好ましい。
【００３０】
また、画素値関連情報には、当該画素値関連情報となっている色名などが表す色に対して、組み合せに適していると予め色彩コーディネートのルールに従って判断される色（以下、関連色と呼ぶ）を表す情報を含んでもよい。この場合は、色名等の情報に併せて当該関連色の情報（関連色の色名など）を利用者側に提供してもよい。
【００３１】
ここで、携帯電話機１０とサーバ装置３０との協働で行われる画像処理の内容について説明する。ここで行われる画像処理の内容は、図６に機能的に示すように、色空間変換部５１と、画像領域分割部５２と、画素値関連情報取得部５３と、情報提示画像生成部５４とを含む。
【００３２】
色空間変換部５１は、携帯電話機１０側の撮像部１３によって撮像された画像データ上の画素値の色空間（例えばＲＧＢ）を、所定の色空間（画素値関連情報データベースにおいて画素値関連情報に関連づけた画素値の表現に用いられる色空間、例えばｘｙ）に変換する。
【００３３】
画像領域分割部５２は、色空間変換部５１が出力する画像データを、所定の分割ルールで複数の画像領域に分割する。ここで分割ルールは、例えば、隣接する画素の色が所定のしきい値を越えて異なる輪郭線で分割し、略均一な色からなる画像領域を少なくとも一つ検出して特定することで、いわゆる複数の色領域に分割する処理であってもよい。
【００３４】
画素値関連情報取得部５３は、画像領域分割部５２によって特定された画像領域ごとに、各画像領域内の画素の値に基づいて、画素値関連情報データベースから画素値関連情報を取得し、画像領域ごとの画素値関連情報を出力する。なお、画像領域分割部５２においては一般に、複数の画素の値が処理対象として特定されるので、例えば当該複数の画素値に基づく統計量（平均値、最頻値、メディアン値）を用いて、当該統計量に基づいて画素値関連情報を取得することとしてもよいし、領域中の画素を一つ選択して、当該画素を代表画素として、当該代表画素の画素値に基づいて画素値関連情報を取得することとしてもよい。
【００３５】
情報提示画像生成部５４は、画素値関連情報取得部５３から入力される画素値関連情報を提示するための画像（携帯電話機１０の表示部１５に表示されるべき画像）を生成して出力する。ここで生成される画像は、例えば図７に示すようなものとなる。
【００３６】
本実施の形態では、これら各部の処理（処理要素）が、携帯電話機１０とサーバ装置３０とによって分担して行われ、全体として画像処理が協働して行われることとなる。そして本実施の形態において特徴的なことの一つは、携帯電話機１０の制御部１１が、どの処理要素の処理を自ら行い、どの処理要素の処理をサーバ装置３０に行わせるかを予め定められた条件に基づいて決定することである。ここで所定の条件には、サーバ装置３０との間の通信状態や、撮像された画像データの容量に関する条件等がある。
【００３７】
そこで次に、携帯電話機１０が当該分担を決定する際の処理について説明する。まず最も簡単な例について説明する。この例では、携帯電話機１０が、携帯電話網２０上の基地局ＢＳとの間の通信状態として、例えば信号強度を検出する。
【００３８】
そして、当該信号強度が所定の信号強度しきい値よりも高い場合には、撮像した画像データをそのままサーバ装置３０に送信すると決定して、画像データをサーバ装置３０に送出し、サーバ装置３０が色空間変換部５１と画像領域分割部５２と画素値関連情報取得部５３と情報提示画像生成部５４の処理を行い、生成された情報提示画像を携帯電話機１０に送信し、携帯電話機１０側で当該受信した画像を表示する処理を行うこととしてもよい。
【００３９】
また、検出した信号強度が所定の信号強度しきい値よりも低い場合は、色空間変換部５１と、画像領域分割部５２と、画素値関連情報取得部５３と、情報提示画像生成部５４との処理を携帯電話機１０側で実行する。この場合、携帯電話機１０の記憶部１２には、図４，図５に示したのと同様の画素値関連情報データベースを予め格納しておく。
【００４０】
このように画像データをサーバ装置３０に送信する場合は、携帯電話機１０側で圧縮処理を行ってから送信することとしてもよい。この場合において、上記信号強度等の通信状態に応じて圧縮率を変更することとしてもよい。例えば、信号強度が弱くなるほど圧縮率を高め、送信する画像データのデータサイズを小さくする。またここで圧縮は、例えば減色処理や、画像を縮小する処理（間引や所定の補間法による縮小処理）等がある。これらの処理については広く知られているものを利用できるので、詳細な説明を省略する。
【００４１】
また、ここでは信号強度に基づいてサーバ装置３０側で処理を行うか否かを決定する例について述べたが、信号強度が信号強度しきい値より高い場合においても、画像データのデータサイズが予め定めたデータサイズしきい値を超える場合には、当該画像データを送信せずに携帯電話機１０側で処理することとしてもよい。
【００４２】
また、分担を決定する処理の別の例は、処理負荷の大小に応じて分担を決定するものである。例えば、携帯電話機１０の制御部１１が色空間変換部５１の処理を行い、当該処理後の画像データをサーバ装置３０に送信し、サーバ装置３０が、当該画像データを受信し、受信した画像内で色領域に分割する処理を行って画像領域を特定し、特定された各画像領域内の画素値（群）に基づき、制御部３１が、画素値関連情報取得部５３の処理を行って各画像領域ごとの画素値関連情報を取得して、この各画像領域ごとの画素値関連情報を携帯電話機１０側に送信してもよい。
【００４３】
この場合、携帯電話機１０の制御部１１が、当該各画像領域ごとの画素値関連情報に基づいて、情報提示画像生成部５４の処理を行うことになる。
【００４４】
また、情報提示画像生成部５４は、色覚障碍のタイプや個人差など、利用者の視覚の特性に応じて、予め定められている利用者のプロファイル（画素値に関する情報の提供の要否に係る条件）に基づき、画素値関連情報の一部を選択的に提供することとしてもよい。具体的には、赤色と緑色との識別が困難である利用者の場合、当該赤色と緑色の系統の色の色名が選択的に表示されるようにする。また、この系統は、利用者の色覚障碍のタイプ（３種類ある）に応じて、いわゆる混同色線に沿った色名のみを表示するようにしてもよい。
【００４５】
ここで当該利用者のプロファイルは、携帯電話機１０側の記憶部１２に格納される。また、このプロファイルは、サーバ装置３０に送信され、利用者を特定する情報に関連づけてサーバ装置３０に保持されてもよい。この場合は、例えば予め利用者を特定する情報を入力させておき、制御部１１が情報提示画像生成部５４の処理を行う際に、当該入力を受けている利用者を特定する情報に関連づけられたプロファイルをサーバ装置３０から受信し、当該プロファイルに基づいて画素値関連情報の一部を選択的に提供するための画像を生成する。これにより、他の携帯電話機（機種交換後の新たな携帯電話機など）を用いたときも、既に設定されたプロファイルを利用できるようになって、利便性が向上する。
【００４６】
また、情報提示画像生成部５４が生成する画像は、色名を文字列で表すのに代えて、または色名を文字列で表すとともに、各画像領域を互いに異なる模様等、色以外の方法によって識別可能な態様に変換して表示することとしてもよい。例えば、図８に示すように、各画像領域を互いに異なるパターンでハッチングして表してもよい。
【００４７】
なお、ここでの説明では、画素値関連情報の提示方法は画像であるものとしているが、画素値関連情報は音声であってもよい。この場合は、例えば情報提示画像生成部５４に代えて、情報提示のための音声を合成する処理を行い、合成された音声データをスピーカ部１８を介して鳴動させることとなる。またこの場合、画素値関連情報データベースに音声データそのものを予め記憶させておいても構わない。さらに、音声データと画像とを併せて提供するようにしてもよい。
【００４８】
さらに、ここまでの説明では、画素値関連情報データベースに格納されている情報が提供されることについて述べたが、本実施の形態の装置では、これに限らず、画素値の情報そのものから得られる情報をさらに提供するようにしてもよい。例えば、画素値の情報を他の色空間の座標値に変換して得られるＲＧＢ値やＬ＊ａ＊ｂ＊値などに基づき、当該画素値によって表される色が属する色空間上の位置（色相環、色立体、色度図上の位置）が表示部１５に表示されるようになっていてもよい。なお、表示部１５のサイズの制限によって、撮像部１３にて撮像されている画像データとともに当該色空間上の位置の情報を併せて表示することが困難である場合などは、撮像部１３にて撮像されている画像データと、上記色空間上の位置の情報とのどちらを表示するかを操作によって切り替えるようにしておいてもよい。なお、ここでは画素値の情報を他の色空間の座標値等に変換する例について述べたが、当該変換後の情報とともに変換前の画素値の情報を併せて出力するようにしておいてもよい。
【００４９】
さらに、携帯電話機１０側の制御部１１は、撮像部１３が撮像した画像データに含まれている画素の値を例えば色空間上でクラスタリングし、各クラスタの代表色を抽出して、当該代表色を特定する情報をサーバ装置３０に送信し、サーバ装置３０において当該代表色を特定する情報に関連づけられている画素値関連情報を画素値関連情報データベースから取得して、携帯電話機１０に配信し、携帯電話機１０で、各代表色に対応する画素値関連情報を一覧表示するなどして提供するようにしてもよい。
【００５０】
また、ここでは携帯電話機１０側で処理の分担を決定していたが、この分担は、サーバ装置３０側で決定してもよい。この場合は、サーバ装置３０が携帯電話機１０から画像処理の要求とともに例えば画像データのデータサイズの情報を受信し、当該データサイズの情報に基づいて、制御部１１におけるのと同様の処理によって分担を決定する。さらにこの場合、サーバ装置３０は、携帯電話機１０側で行うべき処理要素に対応するプログラムを携帯電話機１０に対して配信してもよい。このようにするときには、携帯電話機１０の記憶部１２には、制御部１１によって実行される本実施の形態の画像処理に係るプログラムは、予め格納されている必要がない。
【図面の簡単な説明】
【００５１】
【図１】本発明の実施の形態に係る画像処理システムの一例を表す構成ブロック図である。
【図２】本発明の実施の形態に係る携帯端末装置としての携帯電話機の一例を表す構成ブロック図である。
【図３】本発明の実施の形態に係るサーバ装置の一例を表す構成ブロック図である。
【図４】画素値関連情報データベースの一例として標準色を用いる場合の標準色の設定例を表す説明図である。
【図５】標準色を用いた画素値関連情報データベースの一例を表す説明図である。
【図６】本実施の形態に係る画像処理システムで携帯端末装置とサーバ装置とによって協働して遂行されるべき処理の一例を表す機能ブロック図である。
【図７】色名を表示した例を表す説明図である。
【図８】画像領域を色以外の方法で識別可能に表示した例を表す説明図である。
【符号の説明】
【００５２】
１０  携帯電話機、１１，３１  制御部、１２，３２  記憶部、１３  撮像部、１４  操作部、１５  表示部、１６，３３  通信部、１７  マイク、１８  スピーカ部、２０  携帯電話網、３０  サーバ装置、３４  データベース部、５１  色空間変換部、５２  画像領域分割部、５３  画素値関連情報取得部、５４  情報提示画像生成部。
【図１】
2005223855.tif 000003
【図２】
2005223855.tif 000004
【図３】
2005223855.tif 000005
【図４】
2005223855.tif 000006
【図５】
2005223855.tif 000007
【図６】
2005223855.tif 000008
【図７】
2005223855.tif 000009
【図８】
2005223855.tif 000010